(57)【特許請求の範囲】
【請求項１】
反射笠と、１対の笠側壁とを含み、
前記反射笠は、
照明器具設置用に天井に設けられた開口内に埋め込まれ、かつ、その内部に照明器具が収容される器具収容部と、
前記反射笠の短手方向両端から突出し、前記開口の外部において前記天井と接する１対の平坦部とを有し、
前記器具収容部の長手方向端部は、突出部を有し、
前記１対の笠側壁は、それぞれ、
前記開口内に埋め込まれ、前記反射笠の長手方向両端に配置される側面部と、
前記側面部とＬ字状に結合し、かつ、前記開口の外部において前記天井と接する平坦部とを有し、
前記側面部は、その一部に折り曲げ可能な切り込みを有し、かつ、前記切り込みを、前記反射笠と反対側に折り曲げることで形成された折り曲げ部および溝を有し、
前記器具収容部の前記突出部は、前記笠側壁の溝から突出して、前記折り曲げ部と固着されており、
前記反射笠の平坦部および前記笠側壁の平坦部の厚さが、それぞれ、２ｍｍ以下であることを特徴とする、照明器具用取り付け具。
【請求項２】
前記器具収容部の前記突出部と、前記笠側壁の前記折り曲げ部とが、ネジ止めにより固着されている請求項１記載の照明器具用取り付け具。
【請求項３】
前記反射笠の平坦部における短手方向の縁部分は、前記反射笠の平坦部を折り返した構造であり、
前記笠側壁の平坦部における縁部分は、前記笠側壁の平坦部を折り返した構造である請求項１または２記載の照明器具用取り付け具。
【請求項４】
前記照明器具は、直管型ＬＥＤランプである、請求項１から３のいずれか一項に記載の照明器具用取り付け具。
【請求項５】
照明器具と、照明器具用取り付け具とを含み、
前記照明器具用取り付け具が、請求項１から４のいずれか一項に記載の照明器具用取り付け具であり、前記反射笠の器具収容部内部に、前記照明器具が収容されていることを特徴とする、照明装置。
【発明の詳細な説明】
【技術分野】
【０００１】
本発明は、照明器具用取り付け具および照明装置に関する。
【背景技術】
【０００２】
内部に直管型蛍光ランプが配置され、下面が開放された反射体を含む天井埋め込み型照明器具が提案されている（特許文献１）。
【先行技術文献】
【特許文献】
【０００３】
【特許文献１】特開平１１−１４４５１７号公報
【発明の概要】
【発明が解決しようとする課題】
【０００４】
従来の天井埋め込み型照明器具では、照明器具設置用に天井に設けられた開口に設置した際に、その開口外部への突出部分の厚みが、１０ｍｍ程度と厚い。前記突出部分の厚みが厚いと、天井の下方で物を移動するときに、前記突出部分にぶつかったり、見栄えが悪い等の問題がある。しかしながら、前記突出部分は、照明器具の強度に大きく寄与しているため、単純に薄くすると、照明器具が脆弱なものとなる。
【０００５】
そこで、本発明は、強度を維持しつつ、天井面とフラットに設置可能な照明器具用取り付け具の提供を目的とする。
【課題を解決するための手段】
【０００６】
前記目的を達成するために、本発明の照明器具用取り付け具は、
反射笠と、１対の笠側壁とを含み、
前記反射笠は、
照明器具設置用に天井に設けられた開口内に埋め込まれ、かつ、その内部に照明器具が収容される器具収容部と、
前記反射笠の短手方向両端から突出し、前記開口の外部において前記天井と接する１対の平坦部とを有し、
前記器具収容部の長手方向端部は、突出部を有し、
前記１対の笠側壁は、それぞれ、
前記開口内に埋め込まれ、前記反射笠の長手方向両端に配置される側面部と、
前記側面部とＬ字状に結合し、かつ、前記開口の外部において前記天井と接する平坦部とを有し、
前記側面部は、その一部に折り曲げ可能な切り込みを有し、かつ、前記切り込みを、前記反射笠と反対側に折り曲げることで形成された折り曲げ部および溝を有し、
前記器具収容部の前記突出部は、前記笠側壁の溝から突出して、前記折り曲げ部と固着されており、
前記反射笠の平坦部および前記笠側壁の平坦部の厚さが、それぞれ、２ｍｍ以下であることを特徴とする。
【発明の効果】
【０００７】
本発明によれば、強度を維持しつつ、天井面とフラットに設置可能な照明器具用取り付け具を提供することができる。
【図面の簡単な説明】
【０００８】
【図１】図１は、本発明の照明器具用取り付け具の構成の一例を示す斜視図である。
【図２】図２は、本発明の照明器具用取り付け具における反射笠の一例を示す斜視図である。
【図３】図３は、本発明の照明器具用取り付け具における笠側壁の一例を示す斜視図である。
【図４】図４は、本発明の照明装置の設置例を示す断面図である。
【発明を実施するための形態】
【０００９】
以下、本発明の照明器具用取り付け具および照明装置について、図面を参照して詳細に説明する。ただし、本発明は、以下の説明に限定されない。なお、以下の図１から図４において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１０】
〔照明器具用取り付け具〕
図１は、本発明の照明器具用取り付け具の構成の一例を示す斜視図である。図１に示すように、この照明器具用取り付け具１は、反射笠２０と、１対の笠側壁３０とを含む。なお、照明器具用取り付け具１の両端は同じ形状であるため、図１では、照明器具用取り付け具の左端側のみを示している。つぎに、図２および図３を参照して、反射笠２０および笠側壁３０について説明する。
【００１１】
図２に、反射笠２０の一例を示す。図２に示すように、反射笠２０は、器具収容部２３と、１対の平坦部２１とを有する。器具収容部２３は、後に図４を用いて説明するように、照明器具設置用に天井に設けられた開口内に埋め込まれ、かつ、その内部に照明器具が収容される。１対の平坦部２１は、それぞれ、反射笠２０の短手方向両端から突出し、後に図４を用いて説明するように、天井に設けられた前記開口の外部において天井と接する。
【００１２】
反射笠２０の形成材料としては、例えば、アルミニウムおよびその合金、マグネシウムおよびその合金等の金属；ポリカーボネート（ＰＣ）、ポリブチレンテレフタレート（ＰＢＴ）等の樹脂；等があげられる。反射笠２０としては、例えば、反射面にメッキ、高反射塗料の塗布等の高反射加工を施すことで、反射効率を向上させたものを用いてもよい。反射笠２０は、例えば、前記金属を用いて、プレス加工、曲げ加工等で形成できる。また、反射笠２０は、例えば、前記樹脂を用いて、打ち抜き加工、金型を用いた射出成型、注入成型、プレス成型等の成型法、切削加工法等の方法でも形成できる。ただし、反射笠２０の形成材料および形成方法は、これらの例に限定されない。
【００１３】
器具収容部２３は、その長手方向端部に、後述の笠側壁の側面部に形成された溝から突出可能な突出部２２を有する。それ以外は、器具収容部２３の形状に制限はなく、内部に照明器具を収容可能であれば、いかなる形状であってもよい。図２では、突出部２２を、器具収容部２３の左端側に２つとしているが、突出部２２は、器具収容部２３の左端側に１つであってもよいし、３つ以上であってもよい。
【００１４】
図３に、笠側壁３０の一例を示す。笠側壁３０は、例えば、照明器具用取り付け具１の強度を高め、光漏れを防止する機能を有する。図３に示すように、笠側壁３０は、側面部３１と、平坦部３４とを有する。側面部３１は、後に図４を用いて説明するように、天井に設けられた前記開口内に埋め込まれ、図１に示すように、反射笠２０の長手方向両端に配置される。平坦部３４は、側面部３１とＬ字状に結合し、かつ、後に図４を用いて説明するように、天井に設けられた前記開口の外部において天井と接する。笠側壁３０の形成材料および形成方法は、特に限定されず、例えば、反射笠２０の形成材料および形成方法と同様である。
【００１５】
側面部３１は、その一部に入れられた折り曲げ可能な切り込みを、反射笠２０と反対側（図１参照）に折り曲げることで形成された折り曲げ部３２および溝３３を有する。図３では、折り曲げ部３２および溝３３をそれぞれ２つとしているが、折り曲げ部３２および溝３３は、前述の器具収容部２３の突出部２２と同数とすればよく、１つであってもよいし、３つ以上であってもよい。また、図３では、折り曲げ部３２および溝３３を直方体状としているが、折り曲げ部３２および溝３３は、前述の器具収容部２３の突出部２２が突出可能であれば、いかなる形状であってもよい。
【００１６】
図１に示すように、器具収容部２３の突出部２２は、笠側壁３０の溝３３から突出して、折り曲げ部３２と固着されている。突出部２２と、折り曲げ部３２との固着方法は、特に限定されず、いかなる方法であってもよいが、例えば、ネジ止め、溶着等が挙げられる。ネジ止めにより固着すれば、溶着による焦げの発生や、焦げを隠すための塗装の手間がかからず、好ましい。ネジ止めにより固着する場合には、図１から図３に示すように、突出部２２と、折り曲げ部３２とに、それぞれ、ネジ止め用の穴を設けてもよい。
【００１７】
反射笠２０の平坦部２１および笠側壁３０の平坦部３４の厚さは、それぞれ、２ｍｍ以下である。本発明の照明器具用取り付け具１では、前述のように、突出部２２と、折り曲げ部３２とが固着されており、これにより、強度が確保されている。このため、本発明の照明器具用取り付け具１では、従来は強度を確保するために１０ｍｍ程度であった天井との接触部分の厚さを、２ｍｍ以下と平坦にしても、強度を維持可能である。したがって、本発明の照明器具用取り付け具１によれば、後に図４を用いて説明するように、天井面とフラットに設置可能である。前記厚さは、例えば、１．５ｍｍ〜２ｍｍとしてもよい。なお、本発明の照明器具用取り付け具１における突出部２２と、折り曲げ部３２との固着は、従来の天井との接触部分の厚さが１０ｍｍ程度である照明器具にも適用可能である。
【００１８】
平坦部２１および平坦部３４は、例えば、天井に設置したときのたわみ防止等の観点から、その端部の長さ４ｍｍ程度を、折り返した構成とすることが好ましい。
【００１９】
本発明の照明器具用取り付け具１に取り付けられる照明器具は、いかなるものであってもよいが、例えば、直管型ＬＥＤ（Ｌｉｇｈｔ  Ｅｍｉｔｔｉｎｇ  Ｄｉｏｄｅ）ランプ、直管型蛍光ランプ等があげられる。
【００２０】
〔照明装置〕
本発明の照明装置は、照明器具と、照明器具用取り付け具とを含み、前記照明器具用取り付け具が、前記本発明の照明器具用取り付け具であり、前記反射笠の器具収容部内部に、前記照明器具が収容されていることを特徴とする。
【００２１】
図４の断面図に、本発明の照明装置の設置例を示す。図４に示すように、この照明装置５０は、照明器具４２と、照明器具用取り付け具１とを含み、反射笠２０の器具収容部２３内部に、照明器具４２が収容されている。反射笠２０の器具収容部２３および笠側壁３０の側面部は、天井４１に設けられた開口内に埋め込まれている。反射笠２０の平坦部２１および笠側壁３０の平坦部（図４には表れず）は、前記開口の外部において天井４１と接している。前述のとおり、反射笠２０の平坦部２１および笠側壁３０の平坦部の厚さは、それぞれ、２ｍｍ以下であることから、本発明の照明装置は、天井面とフラットに設置可能である。照明装置５０の設置方法は、特に制限されず、いかなる方法であってもよい。照明装置５０は、例えば、図４に示すように、反射笠２０および照明器具４２の長手方向中央部に、取り付け棒４０を差し込む穴を設けることで設置可能である。
【産業上の利用可能性】
【００２２】
本発明によれば、強度を維持しつつ、天井面とフラットに設置可能な照明器具用取り付け具を提供することができる。本発明の照明器具用取り付け具は、例えば、直管型ＬＥＤランプ、直管型蛍光ランプ等、各種の照明器具に幅広く利用可能である。
【符号の説明】
【００２３】
１          照明器具用取り付け具
２０        反射笠
２１、３４  平坦部
２２        突出部
２３        器具収容部
３０        笠側壁
３１        側面部
３２        折り曲げ部
３３        溝
４１        天井
４２        照明器具
５０        照明装置
【図１】
0006668162.tif 000002
【図２】
0006668162.tif 000003
【図３】
0006668162.tif 000004
【図４】
0006668162.tif 000005